(57)【要約】【課題】階段室を必要としない階段であって、軽構造かつ軽快で、生産・施工効率がよく、さらに、階段の施工場所が狭くても施工でき、階段を支持する支持壁を用いなくてもよい自立構造の階段を提供すること。【解決手段】鉛直方向に立設される中心支柱Ｐと、廻り部Ａの外周に沿って立設される複数の外周支柱Ａ１〜Ａ５とを備え、廻り部Ａは中心支柱Ｐの周りに配置される複数の踏板Ｄ５〜Ｄ８と、踏板Ｄ５〜Ｄ８を支持する複数の支持部材４０とを有し、支持部材４０が中心支柱Ｐと外周支柱Ａ１〜Ａ５との間に架設され、下側直線部Ｂは一対の側桁Ｂ１，Ｂ２に支持される複数の踏板Ｄ１〜Ｄ４を有し、一方の側桁Ｂ２が中心支柱Ｐに固定され、他方の側桁Ｂ１が外周支柱Ａ１に固定される。上側直線部Ｃは一対の側桁Ｃ１，Ｃ２に支持される複数の踏板Ｄ９〜Ｄ１２を有し、一方の側桁Ｃ２が中心支柱Ｐに固定され、他方の側桁Ｃ１が外周支柱Ａ５に固定される。【選択図】　　　　　　図１
2004076283.tif 000002
【特許請求の範囲】
【請求項１】
下階床と上階床との中間に位置する廻り部と、
前記下階床と前記廻り部とを連通させる下側直線部と、
前記上階床と前記廻り部とを連通させる上側直線部とを有する階段であって、
鉛直方向に立設される中心支柱と、
前記廻り部の外周に沿って立設される複数の外周支柱とを備え、
前記廻り部は、前記中心支柱の周りに配置される複数の踏板と、当該各踏板を支持する支持部材とを有し、
前記支持部材が前記中心支柱と前記外周支柱との間に架設され、
前記各直線部は、一対の側桁に支持される複数の踏板を有し、
前記一対の側桁は、一方の側桁が前記中心支柱に固定され、他方の側桁が前記外周支柱に固定されることを特徴とする階段。
【請求項２】
前記中心支柱の外面および前記各外周支柱の外面には、それぞれ軸方向に沿って連結溝が形成され、
前記廻り部の支持部材は、前記中心支柱から放射状に張り出す二本の放射状フレーム材を有し、
前記各放射状フレーム材は、それぞれ両端に前記連結溝に嵌合可能な接続端部を有し、一方の前記接続端部が前記中心支柱の連結溝に嵌合され、他方の前記接続端部が前記外周支柱の連結溝に嵌合されていることを特徴とする請求項１に記載の階段。
【請求項３】
前記支持部材は、前記二本の放射状フレームと同一平面上に位置する外周フレーム材を有し、
当該外周フレーム材は、その両端に前記外周支柱の連結溝に嵌合可能な接続端部を有し、当該各接続端部が隣り合う前記外周支柱の連結溝にそれぞれ嵌合されていることを特徴とする請求項２に記載の階段。
【請求項４】
前記各外周支柱は、その上端に外周節点部材を有し、
前記外周節点部材は、上下方向に沿って挿通孔が形成され、
前記各外周節点部材の外面に前記接続端部が嵌合可能な連結溝が形成され、
前記挿通孔を利用して、手摺を支持する手摺支柱が取り付けられていることを特徴とする請求項２または請求項３に記載の階段。
【請求項５】
前記放射状フレーム材および外周フレーム材は、それぞれ断面四角形であることを特徴とする請求項２乃至請求項４のいずれか一項に記載の階段。
【請求項６】
前記直線部の側桁は、複数の上弦フレーム材を上弦節点部材で連結して構成され、
前記上弦節点部材の外面に連結溝が形成され、
前記各上弦フレーム材は、それぞれ両端に前記連結溝に嵌合可能な接続端部を有し、当該各接続端部が前記上弦節点部材の連結溝にそれぞれ嵌合されていることを特徴とする請求項１乃至請求項５のいずれか一項に記載の階段。
【請求項７】
前記上弦節点部材には、上下方向に沿って二つの挿通孔が形成され、
一方の挿通孔を利用して、直接または踏板支持体を介して前記踏板が支持固定され、
他方の挿通孔を利用して、手摺を支持する手摺支柱が取り付けられていることを特徴とする請求項６に記載の階段。
【請求項８】
前記上弦フレーム材の下方に、前記上弦フレーム材とともにトラスを構成する下弦フレーム材が配置されていることを特徴とする請求項６または請求項７に記載の階段。
【請求項９】
前記各支柱および各フレーム材が、アルミニウム合金製の押出形材であることを特徴とする請求項２乃至請求項８のいずれか一項に記載の階段。
【発明の詳細な説明】
【０００１】
【発明の属する技術分野】
本発明は、階段に関する。
【０００２】
【従来の技術】
従来、建物内に階段を構築する場合には、間取りとの兼ね合いから、折曲り階段、折返し階段、廻り階段といった平面Ｌ字形状やＵ字形状の階段が構築されることが多い。また、このような階段の踏板は、居室とは別に設けられた階段室の壁面に支持されている。
【０００３】
【発明が解決しようとする課題】
ところが、階段室は、周囲が壁面で囲われているため、日中でも暗く、狭苦しい。また、居室とは別に階段室を設けなければならないので、結果として間取りの自由度が制限されてしまう。
【０００４】
さらに、階段室の壁面で踏板を支持する場合には、その位置決めが非常に難しく、これらを正確に取り付けるには、手間と時間とを要する。
【０００５】
また、工場で生産された階段を施工現場に取り付ける場合もあるが、建物ごとに階段の設置条件（段数や蹴上げ高さなど）が異なるので、大量生産には不向きである。
【０００６】
そこで、本発明は、階段室を必要としない階段であって、軽構造かつ軽快で、生産・施工効率のよい階段を提供することを課題とし、さらには、階段の施工場所が狭くても施工でき、階段を支持する支持壁を用いなくてもよい自立構造の階段を提供することを課題とする。
【０００７】
【課題を解決するための手段】
このような課題を解決するために、請求項１の発明は、下階床と上階床との中間に位置する廻り部と、前記下階床と前記廻り部とを連通させる下側直線部と、前記上階床と前記廻り部とを連通させる上側直線部とを有する階段であって、鉛直方向に立設される中心支柱と、前記廻り部の外周に沿って立設される複数の外周支柱とを備え、前記廻り部は、前記中心支柱の周りに配置される複数の踏板と、当該各踏板を支持する支持部材とを有し、前記支持部材が前記中心支柱と前記外周支柱との間に架設され、前記各直線部は、一対の側桁に支持される複数の踏板を有し、前記一対の側桁は、一方の側桁が前記中心支柱に固定され、他方の側桁が前記外周支柱に固定されることを特徴とする。
【０００８】
かかる階段によると、廻り部、上側直線部および下側直線部のそれぞれを中心支柱と外周支柱とで支持する構成としたので、階段室が不要になる。すなわち、階段室などを構築しなくても、階段を構築することが可能で、結果として間取りの自由度が格段に向上する。
【０００９】
請求項２の発明は、請求項１に記載の階段であって、前記中心支柱の外面および前記各外周支柱の外面には、それぞれ軸方向に沿って連結溝が形成され、前記廻り部の支持部材は、前記中心支柱から放射状に張り出す二本の放射状フレーム材を有し、前記各放射状フレーム材は、それぞれ両端に前記連結溝に嵌合可能な接続端部を有し、一方の前記接続端部が前記中心支柱の連結溝に嵌合され、他方の前記接続端部が前記外周支柱の連結溝に嵌合されていることを特徴とする。
【００１０】
かかる階段によると、廻り部の支持部材をフレーム材（放射状フレーム材））で構成したので、その外観がより一層軽快になる。また、放射状フレーム材は、その一方の接続端部を中心支柱の連結溝に嵌合するとともに、他方の接続端部を外周支柱の連結溝に嵌合するだけで中心支柱と外周支柱との間に架設されるので、組立に際して溶接や特別な工具を必要としない。
【００１１】
請求項３の発明は、請求項２に記載の階段であって、前記支持部材は、前記二本の放射状フレームと同一平面上に位置する外周フレーム材を有し、当該外周フレーム材は、その両端に前記外周支柱の連結溝に嵌合可能な接続端部を有し、当該各接続端部が隣り合う前記外周支柱の連結溝にそれぞれ嵌合されていることを特徴とする。
【００１２】
かかる階段によると、廻り部の各踏板が二本の放射状フレーム材と外周フレーム材とで支持されることになり、外周フレーム材によって隣り合う外周支柱同士が互いに連結されることになるので、結果として階段全体の安定性が向上する。
【００１３】
請求項４の発明は、請求項２または請求項３に記載の階段であって、前記各外周支柱は、その上端に外周節点部材を有し、前記外周節点部材は、上下方向に沿って挿通孔が形成され、前記各外周節点部材の外面に前記接続端部が嵌合可能な連結溝が形成され、前記挿通孔を利用して、手摺を支持する手摺支柱が取り付けられていることを特徴とする請求項２に記載の階段。
【００１４】
かかる階段では、外周節点部材に放射状フレーム材と外周フレーム材が接続されるとともに、手摺を支持する手摺支柱が取り付けられる。したがって、手摺支柱を容易に取り付けることができる。
【００１５】
請求項５の発明は、請求項２乃至請求項４のいずれか一項に記載の階段であって、前記放射状フレーム材および外周フレーム材は、それぞれ断面四角形であることを特徴とする。
【００１６】
かかる階段によると、支持部材を構成する各フレーム材の全長に渡ってその上面に踏板を直接載置することができるので、踏板の撓みを抑制することができる。
【００１７】
請求項６の発明は、請求項１乃至請求項５のいずれか一項に記載の階段であって、前記直線部の側桁は、複数の上弦フレーム材を上弦節点部材で連結して構成され、前記上弦節点部材の外面に連結溝が形成され、前記各上弦フレーム材は、それぞれ両端に前記連結溝に嵌合可能な接続端部を有し、当該各接続端部が前記上弦節点部材の連結溝にそれぞれ嵌合されていることを特徴とする。
【００１８】
かかる階段によると、側桁がフレーム材（上弦フレーム材）で構成されているので、その外観が軽快かつすっきりとする。したがって、階段を居室内に設置しても圧迫感がなく、必要以上に視界を妨げることもない。また、隣り合う上弦フレーム材同士は、その両端に形成された接続端部を上弦節点部材の連結溝に嵌合するだけで連結することができるので、組立に際して溶接や特別な工具を必要としない。
【００１９】
請求項７の発明は、請求項６に記載の階段であって、前記上弦節点部材には、上下方向に沿って二つの挿通孔が形成され、一方の挿通孔を利用して、直接または踏板支持体を介して前記踏板が支持固定され、他方の挿通孔を利用して、手摺を支持する手摺支柱が取り付けられていることを特徴とする。
【００２０】
かかる階段によると、踏板と手摺支柱とをそれぞれ異なる挿通孔を利用して取り付けることができる。したがって、踏板および手摺支柱を容易に取り付けることができる。
【００２１】
請求項８の発明は、請求項６または請求項７に記載の階段であって、前記上弦フレーム材の下方に、前記上弦フレーム材とともにトラスを構成する下弦フレーム材が配置されていることを特徴とする。
【００２２】
かかる階段によると、直線部を支持する側桁が平面トラス構造になるため、直線部の剛性が向上する。
【００２３】
請求項９の発明は、請求項２乃至請求項８のいずれか一項に記載の階段であって、前記各支柱および各フレーム材が、アルミニウム合金製の押出形材であることを特徴とする。
【００２４】
かかる階段によると、階段を構成する部材がアルミニウム合金製の押出形材により構成されるので、製作が容易になるとともに、強度の割に軽量で、腐食しにくいというアルミニウム合金のメリットを活かすことができる。
【００２５】
【発明の実施の形態】
本発明の実施の形態を添付した図面を参照して詳細に説明する。
ここで、図１は本発明に係る階段を示す斜視図、図２は図１において踏板および手摺を省略した図、図３は図１の側面図、図４は図１の平面図である。
【００２６】
１：全体構成
本発明の実施形態に係る階段は、図１乃至図４に示すように、平面視Ｕ字形に形成されたいわゆる折返し階段であり、下階床Ｆ１と上階床Ｆ２との中間に位置する廻り部Ａと、下階床Ｆ１と廻り部Ａとを連通させる下側直線部Ｂと上階床Ｆ２と廻り部Ａとを連通させる上側直線部Ｃとを有している。また、本発明の実施形態に係る階段は、鉛直方向に立設される中心支柱Ｐと、廻り部Ａの外周に沿って立設される複数の外周支柱Ａ１〜Ａ５とを備えており、廻り部Ａが中心支柱Ａおよび外周支柱Ａ１〜Ａ５に支持され、下側直線部Ｂが中心支柱Ａおよび外周支柱Ａ１に支持され、上側直線部Ｃが中心支柱Ａおよび外周支柱Ａ５に支持されている。また、下階直線部Ｂの両側、上階直線部Ｃの両側および廻り部Ａの外周に手摺８１が取り付けられている。
【００２７】
また、本実施形態に係る階段は、図１に示すように、下階床Ｆ１と上階床Ｆ２との間に十二段の踏板Ｄ１乃至Ｄ１２を有し、一段目乃至四段目（踏板Ｄ１〜Ｄ４）が下側直線部Ｂに相当し、五段目乃至八段目（踏板Ｄ５〜Ｄ８）が廻り部Ａに相当し、十一段目乃至十二段目（踏板Ｄ９〜Ｄ１２）が上側直線部Ｃに相当する。また、図４に示すように、下階床Ｆ１から中心支柱Ｐの周囲を平面視して時計回りに回ると上階床Ｆ２に至る。なお、以下では、「節点部材」を「ハブ」と称する。
【００２８】
２：中心支柱
まず、中心支柱Ｐの構成について、図５乃至図７を参照して詳細に説明する。ここで、図５は廻り部を示す斜視図、図６は中心支柱を示す斜視図、図７は中心支柱の断面図である。
【００２９】
中心支柱Ｐは、図６に示すように、中心柱材１、第一中心柱状ハブ２、第一中心メガネハブ３（中央に二つ以上の貫通孔が形成されるハブを以下においてメガネハブという）、第二中心柱状ハブ４および第二中心メガネハブ５を鉛直方向に連設して構成されている。
【００３０】
中心柱材１は、断面円形の長柱であり、土間コンクリート（または床スラブ）Ｇ上に取付プレートを介して立設されている。
【００３１】
第一中心柱状ハブ２は、円柱形状に形成され、その外面には第一中心柱状ハブ２の軸線方向（上下方向）に沿って連結溝２ａが形成されている。なお、第一中心柱状ハブ２は、図８（ｂ）に示す外周柱状ハブ２１と同一の断面形状を有している。
連結溝２ａは、後記する上弦フレーム材５２の接続端部５２ａおよび下弦フレーム材５３の接続端部５３ａが嵌合可能な形状に形成され、その内壁面には、接続端部５２ａ（５３ａ）の凹凸と係合する凹凸が形成されている（図８（ｂ）中の連結溝２１ａ参照）。
また、図示は省略するが、第一中心柱状ハブ２の中央には、その軸方向に沿って、図８（ｂ）に示す外周柱状ハブ２１の連結用挿通孔２１ｂと同様の連結用挿通孔が形成されている。
【００３２】
第一中心メガネハブ３は、図７（ｃ）に示すように、軸線方向（上下方向）に沿って手摺用挿通孔３ｂおよび連結用挿通孔３ｃが形成されている。第一中心メガネハブ３の外面であって、連結用挿通孔３ｃの周囲には、第一中心メガネハブ３の軸線方向（上下方向）に沿って複数の連結溝３ａが形成されている。
連結溝３ａは、後記する放射状フレーム材４１，４２の接続端部４１ａ，４２ａが嵌合可能な形状に形成され、その内壁面には、接続端部４１ａ，４２ａの凹凸と係合する凹凸が形成されている。
【００３３】
第二中心柱状ハブ４は、円柱形状に形成され、その中央に連結用挿通孔４ｃが形成されている。また、第二中心柱状ハブ４の外面には、その軸線方向（上下方向）に沿って連結溝４ａ，４ｂが形成されている（図７（ｂ）参照）。
連結溝４ａは、後記する放射状フレーム材４１，４２の接続端部４１ａ，４２ａが嵌合可能な形状に形成され、連結溝４ｂは、後記する上弦フレーム材５２の接続端部５２ａおよび下弦フレーム材５３の接続端部５３ａが嵌合可能な形状に形成されている。
【００３４】
第二中心メガネハブ５は、図７（ａ）に示すように、軸線方向（上下方向）に沿って手摺用挿通孔５ｂおよび連結用挿通孔５ｃが形成されている。第二中心メガネハブ５の外面であって、連結用挿通孔５ｃの周囲には、第二中心メガネハブ３の軸線方向（上下方向）に沿って複数の連結溝５ａが形成されている。
連結溝５ａの構成は、前記した第一中心メガネハブ３の連結溝３ａと同一の構成であるので、詳細な説明は省略する。
なお、本実施形態においては、中心支柱Ｐの上端は概ね廻り部Ａの最上段の踏板Ｄ８の高さにある第二中心メガネハブ５であるが、第二中心メガネハブ５の上端に適宜支柱を連設して二階床部まで延長させ、中心支柱Ｐの上端を二階床部に支持させることもできる。
【００３５】
中心柱材１、第一中心柱状ハブ２、第一中心メガネハブ３、第二中心柱状ハブ４および第二中心メガネハブ５は、それぞれアルミニウム合金製の押出形材からなり、各連結溝は、アルミニウム合金を押出成形する際に形成される。
【００３６】
３：外周支柱
次に、外周支柱Ａ１〜Ａ５の構成について、図１乃至図５および図８乃至図１０を参照して詳細に説明する。ここで、図８（ａ）（ｂ）は外周支柱Ａ１の断面図、図９（ａ）（ｂ）は外周支柱Ａ２の断面図、図１０（ａ）（ｂ）は外周支柱Ａ３の断面図である。
【００３７】
外周支柱Ａ１〜Ａ５は、図４に示すように、廻り部Ａの外周に沿って立設される。なお、本実施形態では、外周支柱Ａ１が廻り部Ａと下側直線部Ｂとの境界に配置され、外周支柱Ａ５が廻り部Ａと上側直線部Ｃとの境界に配置されている。また、外周支柱Ａ２および外周支柱Ａ４が廻り部Ａの隅部に配置されている。
【００３８】
外周支柱Ａ１は、図２に示すように、外周柱材１１、外周柱状ハブ２１および外周メガネハブ３１を鉛直方向に連設して構成されている。
【００３９】
外周柱材１１は、断面円形の長柱であり、土間コンクリート（または床スラブ）Ｇ上に取付プレートを介して立設されている。
【００４０】
外周柱状ハブ２１は、円柱形状に形成され、その外面には外周柱状ハブ２１の軸線方向（上下方向）に沿って連結溝２１ａが形成されている。
連結溝２１ａは、図８（ｂ）に示すように、後記する上弦フレーム材５２の接続端部５２ａおよび下弦フレーム材５３の接続端部５３ａが嵌合可能な形状に形成され、その内壁面には、接続端部５２ａ（５３ａ）の凹凸と係合する凹凸が形成されている。
また、図８（ｂ）に示すように、外周柱状ハブ２１の中央には、その軸方向に沿って連結用挿通孔２１ｂが形成されている。
【００４１】
外周メガネハブ３１は、図８（ａ）に示すように、軸線方向（上下方向）に沿って手摺用挿通孔３１ｂおよび連結用挿通孔３１ｃが形成されている。外周メガネハブ３１の外面であって、連結用挿通孔３１ｃの周囲には、外周メガネハブ３１の軸線方向（上下方向）に沿って複数の連結溝３１ａが形成されている。
連結溝３１ａは、後記する放射状フレーム材４１，４２の接続端部４１ａ，４２ａが嵌合可能な形状に形成され、その内壁面には、接続端部４１ａ，４２ａの凹凸と係合する凹凸が形成されている。
【００４２】
外周支柱Ａ２〜Ａ５は、それぞれ外周柱材１２〜１５、外周柱状ハブ２２〜２５および外周メガネハブ３２〜３５を鉛直方向に連設して構成される。各部材の構成は、外周支柱Ａ１と同様の構成であるので重複する説明は省略する。
【００４３】
なお、外周柱状ハブ２１〜２５および外周メガネハブ３１〜３５の連結溝は、部材の共通化を考慮しつつ、接続される放射状フレーム材４１，４２および外周フレーム材４３の本数および方向に対応させて形成すればよい。
【００４４】
例えば、図５に示すように、外周支柱Ａ１の外周メガネハブ３１には、放射状フレーム材４１と外周フレーム材４３とが９０度の角度をなして接続されるので、少なくとも二つの連結溝３１ａが９０度の間隔で形成されていればよいが、図８（ａ）に示すように、三つの連結溝３１ａを９０度ピッチで形成しておくことで、図１０（ａ）に示す外周支柱Ａ３の外周メガネハブ３３および外周支柱Ａ５の外周メガネハブ３５（図５参照）としても使用することができる。
同様に、廻り部Ａの隅部に位置する外周支柱Ａ２の外周柱状ハブ２２には、放射状フレーム材４２と外周フレーム材４３とが４５度の角度をなして接続されるので、少なくとも二つの連結溝２２ａが４５度の間隔で形成されていればよいが、図９（ｂ）に示すように、三つの連結溝２２ａを４５度ピッチで形成しておくことで、図１０（ｂ）に示す外周支柱Ａ３の外周柱状ハブ２３および外周支柱Ａ４の外周柱状ハブ２４（図５参照）としても使用することができる。
【００４５】
また、図９（ａ）に示すように、廻り部Ａの隅部に位置する外周支柱Ａ２の外周メガネハブ３２には、軸線方向（上下方向）に沿って二つの手摺用挿通孔３２ｂが形成されている。すなわち、外周メガネハブ３２には、二本の手摺支柱８２を取付可能である（図１参照）。
【００４６】
４：廻り部
次に、廻り部Ａの構成について、図１乃至図５、図１１および図１２を参照して詳細に説明する。ここで、図１１（ａ）は放射状フレーム材（外周フレーム材）を示す斜視図、図１１（ｂ）は（ａ）の側面図、図１１（ｃ）（ｄ）（ｅ）は放射状フレーム材（外周フレーム材）の接続端部の加工方法を示す断面図、図１２は　放射状フレーム材と中心節点部材との接続方法を説明する拡大斜視図である。
【００４７】
廻り部Ａは、図１に示すように、中心支柱Ｐの周りに配置される踏板Ｄ５〜Ｄ８と、各踏板を支持する支持部材４０とから構成される。また、支持部材４０は、本実施形態では、図５に示すように、外周支柱Ａ１〜Ａ５のうちの隣り合う二つの外周支柱と中心支柱Ｐとの間に架設されている。例えば、五段目の支持部材４０は、中心支柱Ｐと外周支柱Ａ１，Ａ２との間に架設され、七段目の支持部材４０は、中心支柱Ｐと外周支柱Ａ３，Ａ４との間に架設されている。
【００４８】
（踏板）
踏板Ｄ５〜Ｄ８は、木製や金属製の板材からなり、図４に示すように、略三角形に形成され、また、図示は省略するが、木ネジやドリルビスにより支持部材４０に固定される。
【００４９】
（支持部材）
支持部材４０は、図４および図５に示すように、中心支柱Ｐから放射状に張り出す二本の放射状フレーム材４１，４２と、放射状フレーム材４１，４２と同一平面上に位置する外周フレーム材４３とから構成されている。
【００５０】
放射状フレーム材４１，４２は、それぞれ基端側が中心支柱Ｐに支持され、先端側が外周支柱Ａ１〜Ａ５のいずれかに支持されている。また、外周フレーム材４３は、放射状フレーム材４１，４２の先端を支持している外周支柱同士を連結している。
【００５１】
放射状フレーム材４１は、断面四角形のアルミニウム合金製の中空押出形材を加工したものであり、図１１（ａ）（ｂ）に示すように、その両端に偏平状の接続端部４１ａを有している。また、接続端部４１ａの先端には、放射状フレーム材４１の軸線に直交する方向に凹凸が形成されている。
接続端部４１ａは、図１１（ｃ）に示す断面四角形の中空押出形材の両端をプレス加工などにより押し潰すことにより形成されるが、四辺のうち、対向する二辺を内側に潰した後に（図１１（ｄ）参照）、残りの二辺を押し潰して（図１１（ｅ）参照）接続端部４１ａを形成するので、接続端部４１ａの高さ寸法が中空押出形材の高さ寸法以上に広がることはない。なお、接続端部４１ａは、前記の各ハブの軸線方向（上下方向）に長い偏平状に形成されていることから（図１２参照）、各ハブの軸線方向（上下方向）の外力に対しては、強度的に強いジョイント構造が形成されている。
放射状フレーム材４２は、その長さが放射状フレーム４１と異なるだけでなので、詳細な説明は省略する。
【００５２】
外周フレーム材４３は、放射状フレーム材４１と同様に、断面四角形のアルミニウム合金製の中空押出形材を加工したものであり、その両端に偏平状の接続端部４１ａを有している（図１１（ａ）（ｂ）参照）。その他の構成は、放射状フレーム材４１と同様であるので詳細な説明は省略する。
【００５３】
放射状フレーム材４１を前記の各ハブに接続する場合には、図１２に示すように、放射状フレーム材４１の接続端部４１ａをハブ（図１２では、第一中心メガネハブ３）の上面側から連結溝３ａに嵌合（挿入）すればよい。すると、連結溝３ａと接続端部４１ａの各々に形成した凹凸が互いに係合するので、放射状フレーム材４１がその軸線方向に引き抜かれることはない。放射状フレーム材４２および外周フレーム材４３を前記の各ハブに接続する場合も同様である。
【００５４】
５：下側直線部
次に、下側直線部Ｂの構成について、図１３および図１４を参照して詳細に説明する。ここで、図１３は直線部を示す斜視図、図１４（ａ）は上弦フレーム材の側面図、図１４（ｂ）は上弦節点部材の平面図である。
【００５５】
下側直線部Ｂは、図１３に示すように、左右一対の側桁Ｂ１，Ｂ２と、側桁Ｂ１，Ｂ２に支持される踏板Ｄ１〜Ｄ４とから構成される。また、本実施形態では、側桁Ｂ１，Ｂ２のうち、階段の外周側に位置する側桁Ｂ１の上端が外周支柱Ａ１に支持固定され、階段の内周側に位置する側桁Ｂ２の上端が中心支柱Ｐに支持固定されている。また、側桁Ｂ１，Ｂ２の下端は、サポートシューＳ１，Ｓ１に支持固定されている。
【００５６】
（踏板）
踏板Ｄ１〜Ｄ４は、図１に示すように、木製や金属製の長方形の板材からなり、踏板ブラケット７１を介して側桁Ｂ１，Ｂ２に固定される。
【００５７】
踏板ブラケット７１は、本実施形態では、断面台形に形成され、上弦メガネハブ６１の上面に取り付けられている。
【００５８】
（側桁）
側桁Ｂ１，Ｂ２のそれぞれは、図１３に示すように、階段勾配で傾斜する複数の上弦フレーム材５１と、これらを互いに連結する上弦メガネハブ６１と、上弦フレーム材５１の下方に配置された下弦フレーム材５３，５４と、これらを互いに連結する下弦ハブ６２と、上弦メガネハブ６１と下弦ハブ６２とを互いに連結する連結ロッド５５とから構成される。すなわち、側桁Ｂ１，Ｂ２は、平面トラス構造になっている。また、側桁Ｂ１，Ｂ２は、連結フレーム材５６により互いに連結されている。さらに、必要により側桁Ｂ１，Ｂ２の下弦ハブ６２同士を図中二点鎖線で示す連結フレーム材５６Ａで連結すると、さらに強度が向上する。なお、本実施形態では、側桁Ｂ１，Ｂ２の上端には、上弦フレーム材５１よりも長さの短い上弦フレーム材５２が配置されている。また、側桁Ｂ１の上弦フレーム材５２と下弦フレーム材５３とが外周支柱Ａ１に接続され、側桁Ｂ２の上弦フレーム材５２と下弦フレーム材５３とが中心支柱Ｐに接続されている。また、側桁Ｂ１，Ｂ２の下端に位置する上弦メガネハブ６３の下面に、サポートシューＳ１，Ｓ１が取り付けられている。
【００５９】
上弦フレーム材５１は、断面円形のアルミニウム合金製の中空押出形材を加工したものであり、図１４（ｂ）に示すように、その両端に偏平状の接続端部５１ａを有している。また、接続端部５１ａの先端には、凹凸が形成されているが、その方向は、上弦フレーム材５１の軸線に対して角度α（以下、コイン角αとする）をなす方向である。したがって、上弦フレーム材５１は、その軸線方向が上弦メガネハブ６１の軸線方向に対してコイン角αだけ傾斜した状態で接続される。
接続端部５１ａは、中空押出形材の両端をプレス加工などにより押し潰すことにより形成される。なお、接続端部５１ａは、上弦メガネハブ６１の軸線方向（上下方向）に長い偏平状に形成されていることから、上弦メガネハブ６１の軸線方向（上下方向）の外力に対しては、強度的に強いジョイント構造が形成されている。
【００６０】
また、上弦フレーム材５１，５２，下弦フレーム材５３，５４および連結フレーム材５６は、その長さやコイン角αがそれぞれ異なるものの、その他の構成は、上弦フレーム材５１と同様の構成なので詳細な説明は省略する。
【００６１】
上弦メガネハブ６１は、図１４（ａ）に示すように、軸線方向（上下方向）に沿って手摺用挿通孔６１ｂおよび踏板用挿通孔６１ｃが形成されている。上弦メガネハブ６１の外面であって、踏板用挿通孔６１ｃの周囲には、上弦メガネハブ６１の軸線方向（上下方向）に沿って、３つの連結溝６１ａが９０度間隔で形成されている。
連結溝６１ａは、上弦フレーム材５１の接続端部５１ａおよび連結フレーム材５６の接続端部５６ａが嵌合可能な形状に形成され、その内壁面には、接続端部５１ａ（５６ａ）の凹凸と係合する凹凸が形成されている。
【００６２】
上弦メガネハブ６１に上弦フレーム材５１を接続する場合には、上弦フレーム材５１の接続端部５１ａを側桁メガネハブ６１の上面側（あるいは下面側）から連結溝６１ａに嵌合（挿入）すればよい。すると、連結溝６１ａと接続端部５１ａの各々に形成した凹凸が互いに係合するので、上弦フレーム材５１がその軸線方向に引き抜かれることはない。
【００６３】
また、側桁Ｂ１，Ｂ２の下端に位置する上弦メガネハブ６３は、一つの連結溝に上弦フレーム材５１と下弦フレーム材５４が接続されるので、軸方向（上下方向）の長さ寸法が上弦メガネハブ６１の長さ寸法よりも大きいが、その他の構成は、上弦メガネハブ６１と同様であるので詳細な説明は省略する。
【００６４】
下弦ハブ６２は、円柱形状に形成され、その外面には下弦ハブ６２の軸線方向（上下方向）に沿って前記した上弦メガネハブ６１の連結溝６１ａと同一構成の連結溝が形成されている。
【００６５】
上弦メガネハブ６１，６３および下弦ハブ６２は、それぞれアルミニウム合金製の押出形材からなり、各連結溝は、アルミニウム合金を押出成形する際に形成される。
【００６６】
６：上側直線部
上側直線部Ｃは、前記の下側直線部Ｂとほぼ同一の構成なので、詳細な説明は省略するが、図１および図２に示すように、左右一対の側桁Ｃ１，Ｃ２と、側桁Ｃ１，Ｃ２に支持される踏板Ｄ９〜Ｄ１２とから構成される。また、本実施形態では、側桁Ｃ１，Ｃ２のうち、階段の外周側に位置する側桁Ｃ１の下端が外周支柱Ａ５に支持固定され、階段の内周側に位置する側桁Ｃ２の下端が中心支柱Ｐに支持固定されている。また、側桁Ｃ１，Ｃ２の上端は、サポートシューＳ２，Ｓ２を介して上階床Ｆ２に支持固定されている。
【００６７】
サポートシューＳ２は、本実施形態では、図１５に示すように、上階床Ｆ２に取り付けられる断面略π字形のブラケットＳ２２と、一端に接続端部を有する連結材Ｓ２１とから構成される。また、連結材Ｓ２１およびブラケットＳ２２には、それぞれボルト挿通孔Ｓ２１ａ，Ｓ２２ａが形成されている。
【００６８】
７：手摺
最後に手摺８１の構成について、図１６および図１７を参照して詳細に説明する。ここで、図１６は手摺の分解斜視図、図１７は同じく側断面図である。
【００６９】
手摺８１は、木製や金属製などの棒材からなるが、断面の形状・寸法、長さなどは、階段の構成に合わせて適宜設定することができる。本実施形態では、図１６に示すように、断面略半円形の中空部材で構成され、手摺取付ブラケット８３を介して手摺支柱８２に固定される。
【００７０】
手摺支柱８２は、断面円形のアルミニウム合金製の中空押出形材からなり、図１７に示すように、上下端にネジ孔８２ａ，８２ｂが形成されている。
【００７１】
手摺取付ブラケット８３は、図１６に示すように、アルミニウム合金製の板材を折り曲げて形成され、その両端に階段勾配で傾斜する取付面８３ｂ，８３ｂを有し、中央にボルト挿通孔８３ａを有している。
【００７２】
８：階段の構築手順
次に、本発明に係る階段の構築手順を、図２および図５を参照して説明する。
【００７３】
まず、中心支柱Ｐおよび外周支柱Ａ１〜Ａ５を土間コンクリートＧ上の所定の位置に立設する。このとき、中心支柱Ｐについては、中心柱材１（図６参照）の上面に第一中心柱状ハブ２だけを取り付け、外周支柱Ａ１〜Ａ５については、それぞれ外周柱材１１〜１５の上面に外周柱状ハブ２１〜２５だけを取り付けておく。また、中心柱材１と第一中心柱状ハブ２とは、それぞれの連結用挿通孔に挿通したネジ棒（図示せず）を介して互いに連結される。外周柱材１１〜１５と外周柱状ハブ２１〜２５との連結も同様である。
【００７４】
次に、ユニット化した下側直線部Ｂ（踏板Ｄ１〜Ｄ４を除く）を中心支柱Ｐおよび外周支柱Ａ１とに取り付ける。すなわち、図５に示すように、側桁Ｂ１の上端に位置する上弦フレーム材５２および下弦フレーム材５３のそれぞれの接続端部を外周支柱Ａ１の外周柱状ハブ２１の連結溝２１ａへ嵌合し、側桁Ｂ２の上端に位置する上弦フレーム材５２および下弦フレーム材５３のそれぞれの接続端部を中心支柱Ｐの第一中心柱状ハブ２の連結溝２ａへ嵌合することで、下側直線部Ｂが中心支柱Ｐおよび外周支柱Ａ１へ取り付けられる。
【００７５】
ここで、下側直線部Ｂをユニット化する手順を、図１３を参照して説明する。まず、側桁Ｂ１，Ｂ２を組み立てる。すなわち、複数の上弦フレーム材５１を上弦メガネハブ６１で連結するとともに、下弦フレーム材５３，５４を下弦ハブ６２で連結し、さらに、側桁Ｂ１，Ｂ２の下端において上弦フレーム材５１と下弦フレーム５４とを上弦メガネハブ６３に接続するとともに、上弦メガネハブ６１と下弦ハブ６２とを連結ロッド５５で連結する。なお、上弦フレーム材５１を上弦メガネハブ６１に接続するには、上弦フレーム材５１の接続端部５１ａを上弦メガネハブ６１の連結溝６１ａに嵌合（挿入）すればよい。
次に、側桁Ｂ１，Ｂ２を連結フレーム材５６で互いに連結し、さらに、必要に応じて連結フレーム材５６Ａで互いに連結する。すなわち、左右方向に隣り合う上弦メガネハブ６１，６１に連結フレーム材５６を接続する。なお、連結フレーム材５６を上弦メガネハブ６１に接続するには、連結フレーム材５６の接続端部５６ａを上弦メガネハブ６１の連結溝６１ａに嵌合（挿入）すればよい。
そして、上弦メガネハブ６１の上面に、踏板用挿通孔６１ｃ（図１４（ａ）参照）を利用して踏板ブラケット７１を取り付ける。より具体的には、踏板用挿通孔６１ｃの下端（上弦メガネハブ６１の下面）に各フレーム材の接続端部が連結溝から抜け出すのを防止するためのワッシャを適宜使用し、踏板ブラケット７１と上弦メガネハブ６１とワッシャとを貫通するボルトでこの三者を固定する。また、側桁Ｂ１，Ｂ２の下端に位置する上弦メガネハブ６３の下面にサポートシューＳ１，Ｓ１を取り付ける。
このように、下側直線部Ｂの組立に際しては、溶接や特別な工具を必要としないので、施工性がよく、また、アルミニウム合金製の部材で構成されているため、非常に軽量で、施工時の取り扱いが容易になる。
【００７６】
次に、廻り部Ａのうち、五段目乃至七段目の支持部材４０を構築する。以下、各段ごと詳細に説明する。
【００７７】
（五段目）
まず、図５に示すように、中心支柱Ｐの第一中心柱状ハブ２の上面に第一中心メガネハブ３を取り付けるとともに、外周支柱Ａ１の外周柱状ハブ２１の上面に外周メガネハブ３１を取り付ける。なお、第一中心柱状ハブ２の連結溝および外周柱状ハブ２１の連結溝には、図示は省略するが、連結溝と同一の断面形状を有する溝埋部材を嵌合（挿入）する。また、第一中心柱状ハブ２と第一中心メガネハブ３とは、それぞれの連結用挿通孔に挿通したネジ棒（後記するネジ棒ｂ２と同様のもの、図１７参照）を介して互いに連結される。外周柱状ハブ２１と外周メガネハブ３１との連結も同様である。
【００７８】
次に、放射状フレーム材４１の一端を中心支柱Ｐの第一中心メガネハブ３に接続するとともに、他端を外周支柱Ａ１の外周メガネハブ３１に接続する。すなわち、放射状フレーム材４１を中心支柱Ｐと外周支柱Ａ１との間に架設する。同様に、放射状フレーム材４２の一端を中心支柱Ｐの第一中心メガネハブ３に接続するとともに、他端を外周支柱Ａ２の外周柱状ハブ２２に接続し、さらに、外周フレーム材４３の一端を外周支柱Ａ１の外周メガネハブ３１に接続するとともに、他端を外周支柱Ａ２の外周柱状ハブ２２に接続する。
【００７９】
なお、放射状フレーム材４１，４２および外周フレーム材４３を各ハブに接続するには、それぞれ、フレーム材の接続端部をハブの連結溝に嵌合（挿入）すればよく、組立に際して溶接や特別な工具を必要としない。また、外周支柱Ａ２の外周柱状ハブ２２の連結溝２２ａには、図示は省略するが、連結溝と同一の寸法・形状を有する溝埋部材を嵌合（挿入）する。
【００８０】
（六段目）
次に、中心支柱Ｐの第一中心メガネハブ３の上面に第二柱状ハブ４を取り付けるとともに、外周支柱Ａ２の外周柱状ハブ２２の上面に外周メガネハブ３２を取り付ける。そして、五段目の支持部材４０を構成する放射状フレーム材４２の上方に蹴上げ高さをあけて、六段目の支持部材４０を構成する放射状フレーム材４２の一端を中心支柱Ｐの第二中心柱状ハブ４に接続するとともに、他端を外周支柱Ａ２の外周メガネハブ３２に接続する。すなわち、五段目の放射状フレーム材４２の上方において、六段目の支持部材４０を構成する放射状フレーム材４２を、中心支柱Ｐと外周支柱Ａ２との間に架設する。さらに、放射状フレーム材４１の一端を中心支柱Ｐの第二中心柱状ハブ４に接続するとともに、他端を外周支柱Ａ３の外周柱状ハブ２３に接続し、外周フレーム材４３の一端を外周支柱Ａ２の外周メガネハブ３２に接続するとともに、他端を外周支柱Ａ３の外周柱状ハブ２３に接続する。なお、図示は省略するが、第一中心柱状ハブ４の連結溝４ａにこれと同一の断面形状を有する溝埋部材を嵌合し、放射状フレーム材４１，４２の下方向への移動を防止する。
【００８１】
（七段目）
次に、外周支柱Ａ３の外周柱状ハブ２３の上面に外周メガネハブ３３を取り付ける。そして、六段目の支持部材４０を構成する放射状フレーム材４１の上方に蹴上げ高さをあけて、七段目の支持部材４０を構成する放射状フレーム材４１の一端を中心支柱Ｐの第二中心柱状ハブ４に接続するとともに、他端を外周支柱Ａ３の外周メガネハブ３３に接続する。すなわち、六段目の放射状フレーム材４１の上方において、七段目の支持部材４０を構成する放射状フレーム材４１を、中心支柱Ｐと外周支柱Ａ３との間に架設する。さらに、放射状フレーム材４２の一端を中心支柱Ｐの第二中心柱状ハブ４に接続するとともに、他端を外周支柱Ａ４の外周柱状ハブ２４に接続し、外周フレーム材４３の一端を外周支柱Ａ３の外周メガネハブ３３に接続するとともに、他端を外周支柱Ａ４の外周柱状ハブ２４に接続する。
【００８２】
（九段目〜十二段目）
廻り部Ａの八段目を構築する前に、ユニット化した上側直線部Ｃ（踏板Ｄ９〜Ｄ１２を除く）を中心支柱Ｐおよび外周支柱Ａ５とに取り付ける。すなわち、図２、図５に示すように、側桁Ｃ１の下端に位置する上弦フレーム材５２と下弦フレーム材５４とを外周支柱Ａ５の外周柱状ハブ２５に接続するとともに、側桁Ｃ２の下端に位置する上弦フレーム材５２を中心支柱Ｐの第二中心柱状ハブ４に接続する。
【００８３】
また、側桁Ｃ１，Ｃ２は、図１５に示すように、連結材Ｓ２１の接続端部を側桁Ｃ１，Ｃ２の上端に位置する上弦ハブ６４の連結溝に嵌合するとともに、連結材Ｓ２１をブラケットＳ２２に嵌め入れ、ブラケットＳ２２のボルト挿通孔Ｓ２２ａおよび連結材Ｓ２１のボルト挿通孔Ｓ２１ａにボルトｂ１を挿通し、これをナットＮ１で固定することで上階床Ｆ２に支持固定される。
【００８４】
（八段目）
次に、廻り部Ａの八段目を構築する。すなわち、図５に示すように、中心支柱Ｐの第二中心柱状４の上面に第二中心メガネハブ５を取り付けるとともに、外周支柱Ａ５の外周柱状ハブ２５の上面に外周メガネハブ３５を取り付ける。そして、放射状フレーム材４２の一端を中心支柱Ｐの第二中心メガネハブ５に接続するとともに、他端を外周支柱Ａ４の外周メガネハブ３４に接続する。同様に、放射状フレーム材４１の一端を中心支柱Ｐの第二中心メガネハブ５に接続するとともに、他端を外周支柱Ａ５の外周メガネハブ３５に接続し、さらに、外周フレーム材４３の一端を外周支柱Ａ４の外周メガネハブ３４に接続するとともに、他端を外周支柱Ａ５の外周メガネ３５に接続する。
【００８５】
（踏板の取付）
次に、支持部材４０の上面に踏板Ｄ５〜Ｄ８を載置するとともに、これらを図示しないドリルビスなどで固定する。さらに、側桁Ｂ１，Ｂ２に取り付けた踏板ブラケット７１に踏板Ｄ１〜Ｄ４を載置するとともに、側桁Ｃ１，Ｃ２に取り付けた踏板ブラケット７１に踏板Ｄ９〜Ｄ１２載置し、図示しないドリルビスなどで固定する。
このとき、廻り部Ａでは、支持部材を構成する各フレーム材の断面形状を四角形としたので、その全長に渡ってその上面に踏板を直接載置することができる。したがって、踏板Ｄ５〜Ｄ８の撓みを抑制することができる。
【００８６】
（手摺の取付）
次に、図１７に示すように、手摺支柱８２のネジ孔８２ａにネジ棒ｂ２を取り付け、そのネジ棒ｂ２を下側直線部Ｂ（上側直線部Ｃ）の上弦メガネハブ６１の手摺用挿通孔６１ｂに挿通する。そして、上弦メガネハブ６１の下面に突出したネジ棒ｂ２をキャップナット６１ｄのネジ穴に螺合させて、手摺支柱８２を上弦メガネハブ６１に固定する。
このように、上弦メガネハブ６１は、手摺支柱８２を取り付けるための手摺用挿通孔６１ｂを備えているので、手摺支柱８２を容易に取り付けることができる。
同様に、廻り部Ａの外周メガネハブ３１〜３５にも、手摺用挿通孔３１ｂ〜３３ｂ（図８乃至図１０参照）を利用して手摺支柱８２を取り付ける。
【００８７】
そして、図１６に示すように、手摺支柱８２の上端に手摺取付ブラケット８３を取り付け、この手摺取付ブラケット８３の取付面８３ｂに手摺８１の下面を当接させ、ボルトｂ３で固定する。なお、図１７に示すように、手摺８１の下面に設けた切欠き８１ａにより、ボルトｂ２の頭部が手摺８１の下面に当接するのを防止している。
【００８８】
９：作用・効果
以上、本実施形態に係る階段によれば、廻り部Ａ、下側直線部Ｂおよび上側直線部Ｃを中心支柱Ｐおよび外周支柱Ａ１〜Ａ５で支持する構成としたので、自立して設置でき、踏板を支持する壁や階段室が不要になり、結果として間取りの自由度が格段に向上するとともに、壁・階段室が不要になるため、階段の設置に必要な面積が少なくてすむ。
【００８９】
また、中心支柱Ｐおよび外周支柱Ａ１〜Ａ５だけで廻り部Ａ、下側直線部Ｂおよび上側直線部Ｃを支持しているので、その外観が軽快、かつ、すっきりとし、また、必要以上に視界を妨げることがない。
【００９０】
さらに、廻り部Ａの支持部材４０を放射状フレーム材４１，４２および外周フレーム材４３で構成し、下側直線部Ｂを構成する側桁Ｂ１，Ｂ２および上側直線部Ｃを構成する側桁Ｃ１，Ｃ２をそれぞれ上弦フレーム材５１，下弦フレーム材５２で構成したので、階段全体の外観がより一層軽快、かつ、すっきりとする。したがって、本実施形態に係る階段を室内に構築しても、圧迫感のない明るい居室内空間を創出することができる。
【００９１】
また、外周フレーム材４３によって隣り合う外周支柱同士が互いに連結されることになるので、結果として階段全体の安定性が向上する。
【００９２】
さらに、各フレーム材は、その両端に形成された接続端部を各ハブの連結溝に嵌合するだけで連結することができ、溶接や特別な工具を必要としないので、階段の構築が容易になる。
【００９３】
また、中心支柱Ｐ，外周支柱Ａ１〜Ａ５、廻り部Ａの支持部材４０、下側直線部Ｂの側桁Ｂ１，Ｂ２およびお上側直線部Ｃの側桁Ｃ１，Ｃ２をアルミニウム合金製の押出形材で形成することで、強度の割に軽量で、腐食しにくいというアルミニウム合金のメリットを活かし、より軽構造の階段を構築することできる。また、軽構造であるが故に施工時の取り扱いが容易になり、施工効率が向上する。
【００９４】
また、廻り部Ａの蹴上げ高さや各段の設置高さを調節する場合には、中心柱材１および外周柱材１１〜１５の高さ寸法を変更するか、あるいは、第一中心柱状ハブ２，第二中心柱状ハブ４および外周柱状ハブ２１〜２５の高さ寸法を変更するだけでよい。
【００９５】
なお、本実施形態では、廻り部Ａが平面視して長方形であったが、本発明に係る階段の廻り部の平面形状は、これに限定されることはなく、例えば、平面視半円形であってもよい。
【００９６】
また、本実施形態では、側桁Ｂ１，Ｂ２（Ｃ１，Ｃ２）が、図３に示すように、側面視して略三角形状のトラスであったが、これに限定されることはなく、様々な形状のトラスを採用することができる。
【００９７】
【発明の効果】
以上、本発明の階段によると、廻り部、下側直線部および上側直線部を中心支柱と外周支柱とで支持する構成としたので、階段室が不要になる。すなわち、階段室などを構築しなくても、階段を構築することが可能で、結果として間取りの自由度が格段に向上する。
【００９８】
また、中心支柱および外周支柱だけで廻り部、下側直線部および上側直線部を支持しているので、その外観が軽快かつすっきりとし、また、必要以上に視界を妨げることがない。
【００９９】
さらに、廻り部の支持部材、下側直線部の側桁および上側直線部の側桁をそれぞれフレーム材で構成することで、階段に軽やかさや開放感が与えられ、したがって、居室内に階段を構築しても、圧迫感のない明るい居室内空間を創出することができる。
【０１００】
また、軽構造であるが故に施工時の取り扱いが容易になるとともに、組立に際して特別な工具や溶接を必要としないので、施工性がよい。
【図面の簡単な説明】
【図１】本発明に係る階段を示す斜視図である。
【図２】図１において踏板および手摺を省略した図である。
【図３】図１の側面図である。
【図４】図１の平面図である。
【図５】廻り部を示す斜視図である。
【図６】中心支柱を示す斜視図である。
【図７】中心支柱の断面図である。
【図８】（ａ）（ｂ）は外周支柱の断面図である。
【図９】（ａ）（ｂ）は外周支柱の断面図である。
【図１０】（ａ）（ｂ）は外周支柱の断面図である。
【図１１】（ａ）は放射状フレーム材（外周フレーム材）を示す斜視図、（ｂ）は（ａ）の側面図、（ｃ）（ｄ）（ｅ）は放射状フレーム材（外周フレーム材）の接続端部の加工方法を示す断面図である。
【図１２】放射状フレーム材と中心節点部材との接続方法を説明する拡大斜視図である。
【図１３】直線部を示す斜視図である。
【図１４】（ａ）は上弦フレーム材の側面図、（ｂ）は上弦節点部材の平面図である。
【図１５】側桁と上階床との接続構造を示す分解斜視図である。
【図１６】手摺の分解斜視図である。
【図１７】手摺の側断面図である。
【符号の説明】
Ｐ　　　中心支柱
１　　　中心柱材
２　　　第一中心柱状ハブ
２ａ　　連結溝
３　　　第一中心メガネハブ
３ａ　　連結溝
３ｂ　　手摺用挿通孔
４　　　第二中心柱状ハブ
５　　　第二中心メガネハブ
Ａ１〜Ａ５　　外周支柱
１１〜１５　　外周柱材
２１〜２５　　外周柱状ハブ
２１ａ〜２５ａ　　連結溝
３１〜３５　　外周メガネハブ（外周節点部材）
３１ａ〜２５ａ　　連結溝
Ａ　　　廻り部
４０　　　支持部材
４１，４２　　放射状フレーム材
４１ａ，４２ａ　　接続端部
４３　　　外周フレーム材
４３ａ　　接続端部
Ｂ　　　下側直線部
Ｂ１，Ｂ２　　側桁
Ｃ　　　上側直線部
Ｃ１，Ｃ２　　側桁
５１，５２　　　上弦フレーム材
５１ａ，５２ａ　　接続端部
５３，５４　　　下弦フレーム材
５３ａ，５４ａ　　接続端部
５５　　　連結ロッド
５６　　　連結フレーム材
６１　　　上弦メガネハブ（上弦節点部材）
６１ａ　　連結溝
Ｄ１〜Ｄ１２　　踏板
７１　　　踏板ブラケット
７１ａ　　取付面
８１　　　手摺
８２　　　手摺支柱
８３　　　手摺取付ブラケット
【図１】
2004076283.tif 000003
【図２】
2004076283.tif 000004
【図３】
2004076283.tif 000005
【図４】
2004076283.tif 000006
【図５】
2004076283.tif 000007
【図６】
2004076283.tif 000008
【図７】
2004076283.tif 000009
【図８】
2004076283.tif 000010
【図９】
2004076283.tif 000011
【図１０】
2004076283.tif 000012
【図１１】
2004076283.tif 000013
【図１２】
2004076283.tif 000014
【図１３】
2004076283.tif 000015
【図１４】
2004076283.tif 000016
【図１５】
2004076283.tif 000017
【図１６】
2004076283.tif 000018
【図１７】
2004076283.tif 000019